(57)【要約】【課題】  チャンネルアップ／ダウン選局時に目的のチャンネルを素早く、かつ確実に選局する。【解決手段】  制御部１０５のチャンネル選局モード設定部１１９によって、アップ／ダウンチャンネル切換えモードを、標準選局モードと高速選局モードに切換え設定可能に構成し、予め不揮発性メモリ１１６に、素早く選局したい特定のチャンネルを記憶させておき、リモートコントローラ１２５のチャンネルアップ／ダウンキー２０４を操作して、高速選局モードが選択された際に、連続的なチャンネルの切換えを実行し、かつ特定チャンネルが選局されている時間を特定チャンネルでないチャンネルの選局時間より永くなるように構成し、連続的なチャンネル切換え動作を、特定チャンネルで確実に停止させることができるようにした。【選択図】  図１１
2005192009.tif 000002
【特許請求の範囲】
【請求項１】
選局信号に基づいて複数の放送チャンネルを選択的に受信することが可能なチューナと、
このチューナに前記選局信号を与えて受信チャンネルを決定する選局手段と、
前記複数のチャンネルの中から予め選択されたチャンネルを特定チャンネルとして記憶する特定チャンネル設定手段と、
前記選局手段を、前記各チャンネルの選局信号を前記チューナに連続的に切換え供給すると共に、当該チューナが前記各チャンネルを選局している時間を、前記特定チャンネル設定手段によって設定されたチャネルが、特定されていないチャンネルに対して永くなるように制御する制御手段と、
を具備したことを特徴とする選局装置。
【請求項２】
さらにチャンネルを切換えるためのキーを備え、前記制御手段は、ユーザによって当該キーが操作されている間、前記選局信号を前記チューナに連続的に切換え供給するように動作するものであることを特徴とする請求項１に記載の選局装置。
【請求項３】
前記制御手段は、前記選局信号を前記チューナに連続的に切換え供給するチャンネルアップ／ダウン高速選局モードと、ひとつのチャンネルずつ順次選局信号を前記チューナに供給するチャンネルアップ／ダウン標準選局モードの２通りのモードで前記選局手段を制御するように構成され、前記高速選局モードは、前記キーを連続的に所定時間以上操作することで設定され、キーの操作を停止することで、選局切換えが停止されるものであることを特徴とする請求項２に記載の選局装置。
【請求項４】
さらに表示手段を備え、前記チューナが連続的にチャンネルを切換え受信している状態において、受信チャンネル番号を当該表示手段で表示するものであることを特徴とする請求項１乃至３のいずれかに記載の選局装置。
【請求項５】
選局信号に基づいて複数の放送チャンネルを選択的に受信することが可能なチューナに前記選局信号を連続的に与えて受信チャンネルを順次切換える際に、前記チューナが各チャンネルを選局している時間を、予め特定したチャンネルが、特定していないチャンネルに対して永くなるようにしたことを特徴とする選局方法。
【発明の詳細な説明】
【技術分野】
【０００１】
本発明は、テレビジョン放送あるいはデータ放送等、複数のチャンネルで構成される放送の選局装置及び選局方法に関し、特にチャンネルアップ／ダウンによって選局を行なう機能を有した装置において、所望のチャンネルを素早くかつ確実に選局できるようにした選局装置及び選局方法に関する。
【背景技術】
【０００２】
テレビジョン放送においては、放送形態がアナログからデジタルに移行しつつあり、それによって放送の形態も従前のテレビジョン放送と同等の番組以外に、音楽あるいは音声を主体としたラジオ放送的な番組、あるいは文字情報と静止画像を主体としたデータ放送番組等が実際に行なわれるようになってきている。
【０００３】
デジタル放送においては、１つのチャンネルで複数の番組を放送することが可能であり、受信器では、それらの番組を従前のチャンネルの概念で捉えて、特定の数字を割り振って、その数字を使って選局するという操作が可能となっている。
【０００４】
したがって、チャンネル数が膨大なものになっており、従前にように例えばリモートコントローラの数字キーを使って選局を行なう操作は面倒なものになってきている。
【０００５】
また、今後、持ち運び可能な手のひらサイズのテレビジョン受信器で、そのような多チャンネルのデジタル放送を受信することを想定したサービスも計画されているが、小型の受信器では、キーを設けるスペースに制約を受けるため、良好な操作性を確保することは難しく、また操作性を優先させた場合には、装置が大型化してしまうという問題がある。
【０００６】
チャンネル選局の手法としては、数字キーによるダイレクト選局の他に、チャンネルを順次シフトさせていくという、いわゆるチャンネルアップ／ダウン選局という手法があり、この選局方法によれば、上記のような数字キーによるダイレクト選局の問題点を解決することができる。
【０００７】
しかしながら、チャンネルアップ／ダウン選局では、チャンネル数が多いとそれだけ時間が掛かるという問題もあり、いかにスピーディーにかつ確実に所望のチャンネルに到達してそれを受信できるようにするかということが課題となっている。
【０００８】
従来、チャンネルアップ／ダウン選局において、そのような課題を解決するための提案が種々なされており、例えば特許文献１には、チャンネルをアップあるいはダウンさせる選局処理を行なうために、処理モードとして、低速モードと高速モードの二通りを用意し、低速モードではチャンネル切換えとチャンネル表示を順次行い、高速モードでは、高速モードの設定後の所定チャンネル数分は中程度の速度でチャンネル切換えとチャンネル表示の両方を行ない、それ以降はチャンネル切換えを行なわずにチャンネル表示のみを高速で切換えるようにした提案が示されている。
【０００９】
さらに、特許文献２には、複数のチャンネルを所定の条件で複数のテーブルに分けてテーブル毎にチャンネルをアップダウンさせることで、選局の速度を速めようとする提案が開示されている。
【００１０】
しかしながら、特許文献１では、実際に高速モードによって選局を行なう場合は、高速アップ／ダウンキーを操作して、高速モードを設定し、表示されているチャンネル番号を注視しつつ、目的のチャンネルに近付いたらキーを離し、以降はキーを押す毎に順次１チャンネルずつチャンネルを切換えて、目的のチャンネルを選局するか、あるいは目的のチャンネルに近付いたら、低速モードを設定して順次選局を行なうように構成している。
【００１１】
したがって、高速モードを停止させる処理はユーザが行なうものであるため、ユーザが注意を怠ると、高速モードで目的のチャンネルを飛び越してしまうような事態になりかねず、操作性がいいとは言えなかった。
【００１２】
また、特許文献２では、予めチャンネルをグループ別けしておく必要があり、こちらも操作性がいいとは言い難いものである。
【特許文献１】特開平７−１３１７２７号公報（第４頁、図１，５）
【特許文献２】特開２００２−２３２７９７号公報（第５頁、図２，８）
【発明の開示】
【発明が解決しようとする課題】
【００１３】
以上のように、チャンネルアップ／ダウンによる選局を行なう際には、よりスピーディーに目的のチャンネルを選局できるようにするという課題が発生し、それを解決しようとする試みがなされているが、従来その課題を完全に解決したものはなく、さらなる改善の余地があった。
【００１４】
本発明は、以上の点に鑑みてなされたものであり、ユーザがよく視聴するチャンネル等を特定チャンネルとして予めメモリに記憶させておき、チャンネルアップ／ダウン選局のチャンネル切換えを高速度で実行させる際に、特定チャンネルを選局したら切換え速度を落とすように設定することで、特定チャンネルを容易にかつ確実に選択できるようにした選局装置及び選局方法を提供することを目的とする。
【課題を解決するための手段】
【００１５】
本発明の選局装置は、選局信号に基づいて複数の放送チャンネルを選択的に受信することが可能なチューナと、このチューナに前記選局信号を与えて受信チャンネルを決定する選局手段と、前記複数のチャンネルの中から予め選択されたチャンネルを特定チャンネルとして記憶する特定チャンネル設定手段と、前記選局手段を、前記各チャンネルの選局信号を前記チューナに連続的に切換え供給すると共に、当該チューナが前記各チャンネルを選局している時間を、前記特定チャンネル設定手段によって設定されたチャネルが、特定されていないチャンネルに対して永くなるように制御する制御手段と、を具備したことを特徴とする。
【００１６】
また、本発明の選局方法は、選局信号に基づいて複数の放送チャンネルを選択的に受信することが可能なチューナに前記選局信号を連続的に与えて受信チャンネルを順次切換える際に、前記チューナが各チャンネルを選局している時間を、予め特定したチャンネルが、特定していないチャンネルに対して永くなるようにしたことを特徴とする。
【発明の効果】
【００１７】
本発明によれば、チャンネルアップ／ダウン選局によって、所望のチャンネルを選局する際に、目的のチャンネルでは選局している時間を永くとるようにしたので、目的のチャンネルで確実にチャンネルアップ／ダウン選局処理を停止させることができるようになるため、所望のチャンネルを素早くかつ確実に選局することが可能となる。
【発明を実施するための最良の形態】
【００１８】
以下、図面を参照しながら本発明の選局装置の実施の形態を詳細に説明する。  
図１は、本発明の選局装置を搭載したテレビジョン受信器１００の回路ブロック図である。図１において、アンテナ１０１でキャッチされた放送電波が放送信号としてアンテナ入力端子１０２を介してチューナ１０３に導出される。
【００１９】
チューナ１０３は、アンテナ入力端子１０２から供給される放送信号の中から所望のチャンネルを選局して受信する。この選局は、選局処理部１０４によって実行される。選局処理部１０４は、マイクロプロセッサユニット等で構成される制御部１０５からの選局信号を受けて、その選局信号に応じたチャンネルを受信するように動作すめが詳細は後述する。
【００２０】
チューナ１０３で選局された受信信号は、復調部１０６において、復調され、さらに誤り訂正等処理が施されて複数種のパケット化された信号で構成されるＴＳ（トランスポートストリーム）信号として出力される。
【００２１】
復調部１０６から出力されるＴＳ信号は、ＴＳデコーダ１０７で、パケット毎に分離抽出される。番組を構成するＰＥＳ（Packetized Elementary Stream）信号は、ＭＰＥＧ（Moving Picture Experts Group）デコーダ１０８に導出される。ここで映像信号に関してＭＰＥＧのデコード処理が実行され、非圧縮のデジタル映像信号として映像信号処理部１０９に送られる。
【００２２】
映像信号処理部１０９では、ＭＰＥＧデコーダ１０８からのデジタル映像信号に対して、所定の処理を施して表示部１１０に導出してその映像を表示させる。また、映像信号処理部１０９は、ＯＳＤ（On Screen Display）信号生成部１１１から供給されるＯＳＤ信号を、ＭＰＥＧデコーダ１０８からの映像信号に重畳したり、あるいはＭＰＥＧデコーダ１０８からの映像信号と、ＯＳＤ信号生成部１１１からのＯＳＤ信号を選択的に切換えて表示部１１０に導出するように動作する。
【００２３】
ＭＰＥＧデコーダ１０８はまた、音声信号に対しても非圧縮処理を施してデジタル音声信号として音声信号処理部１１２に導出する。音声信号処理部１１２では、音声信号に対して所定の処理を施し、アナログ信号に変換して、音声出力部１１３に導出する。音声出力部１１０はスピーカ等を含み音声を出力する。
【００２４】
制御部１０５は、テレビジョン受信器１００全体の動作、調整、設定等の制御を行うものであり、ＭＰＵ（Micro Processing Unit）等で構成され、処理を実行するためのプログラムが記憶されたＲＯＭ（Read Only Memory）１１４と、ワークメモリとしてのＲＡＭ（Random Access Memory）１１５と、後述する選局信号が記憶された不揮発性メモリ１１６が接続されている。不揮発性メモリ１１６は、後述するお好みチャンネル情報等も記憶されるもので、フラッシュメモリ等で構成される。
【００２５】
制御部１０５の機能を理解し易くするために、図１においては、特に本発明に関係するチャンネルアップ／ダウン処理と、チャンネル切換えモード設定処理を機能としてのブロックで明確に示している。
【００２６】
すなわち、制御部１０５は、制御処理部１１７を中心にして、チャンネルアップ／ダウン処理部１１８と、チャンネル切換えモード設定部１１９を含み、さらに、リモコンコード解析部１２０とキーコード解析部１２１と、時間計測部１２２を有する。
【００２７】
チャンネルアップ／ダウン処理部１１８は、チャンネルアップ／ダウンによるチャンネル切換えを実行させるべく、不揮発性メモリ１１６に記憶された選局信号を制御処理部１１７を介して順次読み出して、選局処理部１０４に供給するものであり、チャンネル切換えモード設定部１１９は、チャンネルアップ／ダウン処理部１１８によるチャンネル切換え速度を設定するもので、１チャンネルづつ順次チャンネルを切換える通常選局モードと、連続的にチャンネル切換えを行う高速選局モードとを設定することが可能である。
【００２８】
また、時間計測部１２２は、ユーザによる後述するリモートコントローラのキー操作の時間を計測してチャンネルアップ／ダウン処理を管理する他、各種制御用の時間情報を取得する。
【００２９】
さらに制御部１０５には、リモコン受光部１２３とキー入力部１２４が接続されている。リモコン受光部１２３は、リモートコントローラ１２５から送られる赤外線リモコン信号を受けてこれをリモコンコード解析部１２０に導出する。また、キー入力部１２４は、テレビジョン受信器１００の例えば筐体前面パネルに設けられた複数のキーで構成され、ユーザが操作したキーに対応した信号がキーコード解析部１１８に出力される。
【００３０】
図２は、図１に示すリモートコントローラ１２５のキー配列を示す図面である。図２に示すようにリモートコントローラ１２５は、１〜０の数字キー２０１と、例えばＯＳＤ信号生成部１１１で生成され、表示部１１０で表示されたＧＵＩ（Graphical User Interface）形式の情報から、目的の項目を選択するためのカーソルキー２０２と、カーソルキー２０２によって選択された項目を登録するための決定キー２０３を有する。リモートコントローラ１２５はさらに、チャンネルアップ／ダウン選局用のキー２０４と、音量アップ／ダウン用のキー２０５と、処理を終了させるための終了キー２０６と、お好みチャンネル登録のためのキー２０７を備える。
【００３１】
数字キー２０１は、チャンネルを選局する際に、チャンネル番号を直接入力するために用いられる他、数字データを入力するときに利用される。  
チャンネルアップ／ダウンキー２０４は、シーソー型のスイッチで構成され、チャンネルアップ／ダウン切換えのトリガを制御部１０５に与える機能を有する。
【００３２】
すなわち、制御部１０５は、例えばチャンネルアップ／ダウンキー２０４が図中上側に押された信号をリモコン受光部１２３を介して受けると、チャンネルアップ／ダウン処理部１１８に対して、昇順方向の次の番号のチャンネルへの切換えを実行するように指示を出す。
【００３３】
同様に、チャンネルアップ／ダウンキー２０４を下側に押すとチャンネルの降順方向の次の番号のチャンネルへの切換えが実行される。
【００３４】
さらに制御部１０５は、チャンネルアップ／ダウンキー２０４が連続して例えば３秒押し続けられたことが認識されると、チャンネル切換えモード設定部１１９によって高速選局モードを設定し、チャンネルアップ／ダウン処理部１１８に高速度でのチャンネル切換えを実行するように指示を出す。
【００３５】
高速選局モードによるチャンネル切換えは、ユーザがキー２０４を押し続けている間継続され、キー２０４を離すとチャンネル切換えが停止されるように制御部１０５によって制御される。さらに、その停止が４秒以内であれば、再びキー２０４を押すことで、制御部１０５は、高速選局モードでのチャンネル切換えを実行するが、４秒を超えてからキー２０４を押すと標準モードでのチャンネルアップ／ダウン切換えが実行される。この場合の時間の計測も、時間計測部１２２によって行われる。
【００３６】
音量キー２０５もまた、シーソー型のスイッチで構成され、図中＋側を押している間、音量が徐々に大きくなるように制御され、離すと処理を停止し、逆に−側を押すと、音量が徐々に絞られるようになり、離すと処理を停止する。
【００３７】
終了キー２０６は、テレビジョン受信器１００の所定の動作を停止させる機能、あるいは画面表示を停止させる機能を有するものである。例えば、後述するようにチャンネルアップ／ダウン選局の高速選局モードを終了させる場合に操作する。あるいはＯＳＤ信号生成部１１１で生成された初期設定画面のためのメニュー表示等を終了させる際に操作される。
【００３８】
お好みチャンネルキー２０７は、お好みチャンネルを登録したり、あるいは登録済のお好みチャンネルを確認したり、削除したりするための画面を呼び出す際に使用するキーである。
【００３９】
なお、キー入力部１２１にも、リモートコントローラ１２５のチャンネルアップ／ダウンキー２０４、音量アップ／ダウンキー２０５と同じ機能を有するキーが含まれている。
【００４０】
以上のように構成されたテレビジョン受信器１００において、チャンネルアップ／ダウン選局を行う場合には、ユーザは、リモートコントローラ１２５のチャンネルアップ／ダウンキー２０４を押す。初期状態においては、通常選局モードに設定され、キー２０４を押すたびに、チャンネルが１チャンネルづつ順次切換る。
【００４１】
チャンネルアップ選局を行わせる場合には、キー２０４を図中上側に押すことで、そのキーの操作に対応したリモコン信号が送信され、それがリモコン受光部１２３で受光され、制御部１０５のリモコンコード解析部１２０に送られる。
【００４２】
リモコンコード解析部１２０では、それを解析して制御処理部１１７に解析結果を送り、制御処理部１１７は、チャンネルアップ／ダウン処理部１１８にチャンネルアップ選局切換えを実行させる指示を出す。
【００４３】
それによってチャンネルアップ／ダウン処理部１１８は、不揮発性メモリ１１６に記憶されている各チャンネルの選局信号を順次読み出して選局処理部１０４に送り、選局を実行させる。
【００４４】
チューナ１０３は、選局信号を受けて各チャンネルを順次受信するようになる。この場合、現在視聴中のチャンネルから、キー２０４を押す度に、チャンネル番号が大きくなるようにチャンネルが受信されていき、それよって、各チャンネルで放送されている番組の映像が表示部１１０で順次表示される。
【００４５】
また、このとき、制御処理部１１７は、チャンネルアップ／ダウン処理部１１８の、不揮発性メモリ１１６からの選局信号読み出し動作に合わせて、読み出した選局信号に対応するチャンネル番号を表示させるための信号をＯＳＤ信号生成部１１１で生成させるべく、信号を出力する。それによってＯＳＤ信号生成部１１１では、各チャンネル番号を表示するためのＯＳＤ信号を生成して出力し、これが映像信号処理部１０９でＭＰＥＧデコーダ１０８からの映像信号に重畳される。
【００４６】
結局、表示部１１０には、切換えられたチャンネルの受信映像とそのチャンネル番号が順次切換わりながら表示される。その状況を図３に示す。表示画面３０１の右上隅にチャンネル番号表示３０２がされている。
【００４７】
チャンネルアップ選局からダウン選局に切換えるには、チャンネルアップ／ダウンキー２０４を下側に押すことによってなされる。それによって制御部は対応するリモコン信号を受け、標準チャンネルアップ／ダウン処理部１１４に対して、チャンネルの選局順序を逆にするように指示を行い、選局方向が降下順になる。
【００４８】
高速度でのチャンネルアップ／ダウン切換え処理は、チャンネルアップ／ダウンキー２０４を所定時間、例えば３秒以上押し続けることによって実行される。
【００４９】
キー２０４の操作時間は時間計測部１２２によって計測され、所定時間以上キー２０４が押されたことが制御処理部１１７で確認されたら、制御処理部１１７は、チャンネル切換えモード１１９に対して、高速選局モードを設定するように指示を出す。
【００５０】
チャンネル切換えモード設定部１１９は、それを受けてチャンネルアップ／ダウン処理部１１８に、高速選局モードでチャンネル切換えを実行するように指示を出し、チャンネルアップ／ダウン処理部１１８は、不揮発性メモリ１１６から選局信号を連続的に読み出して選局処理部１０４へ送り出すように動作する。その結果、キー２０４を押している期間中、例えば２００ｍ秒間隔で連続的にチャンネルの切換えが実行されるようになる。
【００５１】
この場合においても、制御処理部１１７は、不揮発性メモリ１１６から選局信号が読み出される毎に、そのチャンネル番号を表示させるためのＯＳＤ信号をＯＳＤ信号処理部１１１で生成させ、それによって表示部１１０には、チャンネル番号が表示される。高速選局モードによるチャンネルアップ／ダウン選局時においては、チューナ１０３において受信された放送番組の映像信号は、例えば黒色の信号でマスクして表示部１１０には表示しないようにし、チャンネル番号のみを表示する。
【００５２】
図４に高速選局モードにおける表示部１１０での表示状態を示す。表示画面４０１には、「高速選局中です」のメッセージ４０２と、チャンネル番号をインジケータ４０３でアナログ的に表示した例が示されている。この例では、インジケータ４０３は固定表示され、選局されたチャンネル番号を示す数字が、インジケータ４０３の指し示す位置になるように、画面上、上下に移動するように表示される。
【００５３】
図５は、チャンネルアップ選局時の画面表示の例であり、説明を解り易くするためにチャンネルを１，３，４，６，８，１０，１２と、１４〜１６の１０チャンネル分として示している。図のように、チャンネル番号１から開始して、チャンネル番号１６で１サイクルが終了し、再び最初に戻る。実際には、チャンネル数は、数百に及ぶ場合も存在する。
【００５４】
図６は、図５に示すチャンネル数で、チャンネルダウン選局を実行させた例を示すものであり、チャンネル１６から開始されてチャンネル１で１サイクルが終了する。
【００５５】
図７は、標準選局モードでのチャンネルアップ／ダウン切換え動作を模式的に示すタイミングチャートであり、図７（ａ）がリモートコントローラ１２５のチャンネルアップ／ダウンキー２０４の操作状態を示すもので、ＯＦＦがユーザがキーから手を離した状態で、ＯＮがキーを押した状態を示す。また、図７（ｂ）は、切換えられるチャンネル番号を示している。
【００５６】
時刻ｔ１でチャンネルアップ／ダウンキー２０４が押される前までは、チャンネル１が選局されており、キー２０４が押されてから時刻ｔ２でキー２０４から手を離すと、その後所定時間（例えば１秒後）の時刻ｔ３で次のチャンネルである３チャンネルが選局されるようになる。このように、標準選局モードでは、チャンネルアップ／ダウンキー２０４を操作する毎に、チャンネルを順次切換えるように動作するものである。
【００５７】
図８は、高速選局モードでのチャンネルアップ／ダウン切換え動作を模式的に示すタイミングチャートであり、図８（ａ）は、リモートコントローラ１２５のチャンネルアップ／ダウンキー２０４の操作状態を示すもので、ＯＦＦがユーザがキーから手を離した状態で、ＯＮがキーを押した状態を示す。また、図８（ｂ）は、切換えられるチャンネル番号を表示する表示部１１０の表示状況を示している。
【００５８】
チャンネル１が選局されている状態から、時刻ｔ１でチャンネルアップ／ダウンキー２０４が押され、そのまま例えば３秒経過すると、時刻ｔ２で高速選局モードが確定し、それによって現在の受信チャンネル１から２００ｍ秒間隔で、チャンネルの切換えが順次おこなわれ、時刻ｔ３でユーザがキー２０４の操作を止めるまで継続される。キー２０４の操作を停止してから、４秒が経過すると時刻ｔ４から通常選局モードに切換わる。
【００５９】
４秒経過する前に、キー２０４を操作すると、高速選局モードを維持したまま、再び２００ｍ秒間隔のチャンネル切換えが実行される。なお、高速選局モードで、キー２０４の操作が一旦停止された後、４秒以内に再び操作された際には、キー２０４が連続して例えば５００ｍ秒押されたことを検出した際に、２００ｍ秒間隔のチャンネル切換えに移行するように制御部１０５が制御する。また、図８においても、説明の便宜上、チャンネル番号を１６までとしているが、前述のように、数百のチャンネルが対象となる放送受信システムも存在するものであり、その場合には当然、番号は大きな数字になる。
【００６０】
さて、高速選局モードでは、２００ｍ秒間隔でチャンネルの切換えが実行されるため、所望のチャンネルで選局動作を停止させることは難しい作業となるものであり、そこで本発明は、お好みチャンネルを予め登録しておいて、高速選局モードでのチャンネルアップ／ダウン選局時に、お好みチャンネルに切換わったら、次のチャンネルへの切換え速度を２００ｍ秒から例えば５００ｍ秒に変更して、そのチャンネルの選択を容易に実行できるようにしたものである。すなわち、お好みチャンネルが選局されているうちにチャンネルアップ／ダウンキー２０４の操作を止めれば、そのチャンネルの継続的な選局を実行させることができるものである。
【００６１】
図９は、お好みチャンネルを登録する手順の例を示すものである。すなわち、リモートコントローラ１２５のお好みチャンネルキー２０７を操作すると、制御部１０５はそれを受けて、ＯＳＤ信号生成部１１１に、図９に示す表示を行うＯＳＤ信号を生成するように指示を出す。その結果、図９に示すお好みチャンネル登録用画面が、表示部１１０に表示される。
【００６２】
画面９０１には、項目１として、現在視聴中の例えば８チャンネルをお好みチャンネルとして登録するか否かの選択をユーザに要求する表示がなされる。ここでユーザは、リモートコントローラ１２５のカーソルキー２０２と決定キー２０３を使って、登録したい場合には、「登録する」にカーソルを移動して決定キー２０３を操作すればよい。それによって、制御部１０５は、８チャンネルをお好みチャンネルとする情報を不揮発性メモリ１１６に記憶させる。
【００６３】
また、項目２はチャンネル番号を入力して登録するためのものであり、リモートコントローラ１２５の数字キー２０１を用いて直接チャンネル番号を入力して決定キー２０３を操作すればお好みチャンネルとして登録することができる。また登録した内容を確認する場合には、「確認」にカーソルを移動させて決定キー２０３を操作すれば、登録済みのチャンネル番号をさせることができ、さらに登録した内容を削除する場合には、「削除」にカーソルを移動させて、決定キー２０３を操作する。
【００６４】
なお、お好みチャンネルの登録は、リモートコントローラ１２５のお好みチャンネルキー２０７を操作して登録画面を表示させることの他に、所定期間（例えば１週間、１０日あるいは１ヶ月）の間に所定回数以上視聴したチャンネルが存在した場合に、図９に示すような画面表示を自動的に行ってユーザにお好みチャンネルとして登録する機会を与えるように構成することもできるものである。
【００６５】
また、その他にもＥＰＧ（Electronic Program Guide）を用いて登録するように構成してもよく、あるいはテレビジョン受信器が設置されている地域を限定した放送番組情報が付加データとして伝送される場合には、それを利用することもできる。
【００６６】
そのようにして、お好みチャンネルを登録した場合、不揮発性メモリ１１６には、例えば図１０に示すような、データが記憶されることになる。すなわち、図１０には、ネットワークＡ〜Ｃのデータが記憶されている例が示されており、トランスポートストリームＩＤ（識別番号）：ＸＸＸＸとして特定されるネットワークＡについては、チャンネル番号１，４，８がお好みチャンネルとして登録され、トランスポートストリームＩＤ：ＹＹＹＹのネットワークＢについてはチャンネル番号２，９がお好みチャンネルとして登録され、トランスポートストリームＩＤ：ＺＺＺＺのネットワークＣでは、５と１４チャンネルが登録されている。なお、ここにおいてネットワークは、いわゆる同じ番組を放送する系列の放送事業者を全国規模で結んで構成される放送網のことをいう。
【００６７】
以上のようにしてお好みチャンネルが登録されている状態において、チャンネルアップ／ダウン選局を行う際の制御部１０５の処理について図１１を用いて説明する。図１１においても、図８と同様に、図１１（ａ）がリモートコントローラ１２５のチャンネルアップ／ダウンキー２０４の操作状況を示し、図１１（ｂ）が表示部１１０でのアナログ的チャンネル表示状況を示している。
【００６８】
図１１では、チャンネル３と６がお好みチャンネルとして登録されている場合を示す。チャンネル１が選局されている状態から、ｔ１でリモートコントローラ１２５のチャンネルアップ／ダウンキー２０４を押して、それが例えば３秒継続すると、ｔ２で高速選局モードが確立されて、制御部１０５は、チャンネルアップ／ダウン選局処理部１１８に対して、通常のチャンネルについては、２００ｍ秒で次のチャンネルに切換え、お好みチャンネルについては、５００ｍ秒経過後に次のチャンネルに切換えるように指示を出すように設定される。
【００６９】
すなわち、チャンネル１は、２００ｍ秒でチャンネル３に切換わるが、３チャンネルがお好みチャンネルであることが不揮発性メモリ１１６に記憶されているため、チャンネルアップ／ダウン選局処理部１１８は、５００ｍ秒経過後に次のチャンネルに切換える処理を行う。その間にユーザがリモートコントローラ１２５のチャンネルアップ／ダウンキー２０４から手を離せば、チャンネル３で選局切換えが停止されることになる図１１では、引き続いてキー２０４が操作されており、チャンネル６がお好みチャンネルとして登録されているため、５００ｍ秒経過後に次の８チャンネルへの切換えが実行される。
【００７０】
このように、予めお好みチャンネルを登録しておいて、チャンネルアップ／ダウン選局の高速選局モードにおいて、お好みチャンネルの選局時間をお好みチャンネルでない他のチャンネルに比べて長く設定するようにしたので、ユーザは、目的のチャンネルが選局されている間に、タイミングを外すことなく、リモートコントローラ１２５のチャンネルアップ／ダウンキー２０４から手を離すことが可能となる。したがって、目的のチャンネルを素早くかつ確実に選局することができるようになるものである。
【００７１】
なお、お好みチャンネルにおける選局継続時間は５００ｍ秒に限定されるものではなく、ユーザが自由に選択するように構成することも可能である。例えばテレビジョン受信器１００の初期設定でその時間を設定できるようにしてもよい。
【００７２】
また、高速選局モードにおける表示部１１０でのチャンネル表示は、アナログ表示に限定されるものではなく、数字のみで表示してもよく、お好みチャンネルと他のチャンネルの文字の大きさを変えるとか、あるいは文字の色を変えるようにすれば、お好みチャンネルを選局中であることをユーザに確実に報知することができるようになるものである。
【００７３】
図１２は、以上説明した本発明の選局装置の動作を示すフローチャートである。図１２において、ステップＳ１２０１で開始され、ステップＳ１２０２でリモートコントローラ１２５のキーが操作されたことを検出する。次いで、ステップＳ１２０３で、操作されたキーがチャンネルアップ／ダウン選局キー２０４のチャンネルアップキーであるか否かの判定がなされ、チャンネルアップキーであるならば、ステップＳ１２０４で時間計測部１２２においてキー操作開始からの時間が計測される。
【００７４】
ステップＳ１２０５でキー操作開始からの時間が規定時間（例えば３秒）に達したか否かの判定がなされ、規定時間に達したならば、ステップＳ１２０６で高速選局モードが確立される。
【００７５】
次いで、ステップＳ１２０７に移って選局したチャンネル番号を表示部１１０でＯＳＤ表示し、さらにステップＳ１２０８で表示部１１０に「高速選局中」であることを表示する。
【００７６】
次にステップＳ１２０９で時間計測部１２２で、チャンネルが切換わってからの時間の計測を開始する。次いでステップＳ１２１０でチャンネルアップキー２０４がＯＦＦ（ユーザがキーから手を離した）か否かの判定を行い、ＯＦＦでないならステップＳ１２１１でお好みチャンネルの登録内容をチェックする。
【００７７】
ステップＳ１２１２で、選局したチャンネルがお好みチャンネルとして登録されているか否かの判定を行い、登録されていない場合は、ステップＳ１２１３で時間計測部１２２の計測結果が規定時間の２００ｍ秒に達したか否かの判定がなされ、達した場合には、ステップＳ１２１４に移って順方向の次のチャンネル番号の表示を行って、そのチャンネルの選局を行い、かつ時間計測部１２２をクリアしてステップＳ１２０９に戻る。
【００７８】
ステップＳ１２１２で選局したチャンネルがお好みチャンネルとして登録されている場合には、ステップＳ１２１５で時間計測部１２２の計測時間が規定時間の５００ｍ秒に達したか否かの判定がなされ、達した場合にはステップＳ１２１４に移って、次のチャンネルの表示と選局を行い、時間計測部１２２をクリアする。
【００７９】
また、ステップＳ１２１３、Ｓ１２１５で、それぞれ規定時間に達しない場合は、ステップＳ１２０９に戻って規定時間に達するまでそれ以降の同じ処理を続行する。
【００８０】
さらに、ステップＳ１２１０で、チャンネルアップキー２０４がＯＦＦされたことが判定されたら、ステップＳ１２１６で、時間計測部１２によって、キー２０４がＯＦＦされてからの経過時間を計測し、ステップＳ１２１７で規定時間の４秒に達したかまたは、リモートコントローラ１２５の終了キー２０７が操作されたか否かの判定を行う。
【００８１】
４秒に達した場合、あるいは終了キー２０７が操作された場合には、ステップＳ１２１８によって通常選局モードへの移行処理が行われ、ステップＳ１２１９で処理を終了する。
【００８２】
なお、ステップＳ１２０３で、チャンネルアップキー２０４が操作されなかったと判定された場合にはステップＳ１２０２に戻る。また、ステップＳ１２０５で規定時間に達したことが判定されなかったら、ステップＳ１２０２に戻る。さらにまた、ステップＳ１２１７で、規定時間に達しないかまたは、終了キー２０７も押されないと判定されたら、ステップＳ１２１６に戻って、規定時間に達するまであるいは終了キーが押されるまで時間計測部１２２での時間計測を続行する。
【００８３】
図１２は、リモートコントローラ１２５のチャンネルアップ／ダウンキー２０４によってチャンネルアップ選局が実行された場合の処理を示すものであるが、キー２０４をチャンネルダウン選局キー２０４として操作した場合には、図１２のフローチャートに対して、操作されたキーの種類がチャンネルダウンキーに変わり、チャンネル選局の順位が逆方向になるだけで、実質的に同じ処理が実行される。
【００８４】
図１３は、チャンネルダウン選局を行った際のフローチャートであり、図１２のステップＳ１２０４とステップＳ１２１０が、キーがチャンネルアップキーからチャンネルダウンキーに変更されたステップＳ１３０４とＳ１３１０に変わり、ステップＳ１２１４が、逆方向の次のチャンネル番号の表示と選局を行うステップＳ１３１４に変わっただけで、他のステップでは、末尾の２桁の数字が同じステップ同士、まったく同じ処理をするものである。したがって詳細な説明は省略する。
【００８５】
図１４は、デジタル放送において、お好みチャンネルとしての登録処理、および登録されたチャンネルを、チャンネルアップ／ダウン選局処理時に、特定チャンネルとして認識するための設定を行う処理を示すフローチャートである。
【００８６】
図１４において、ステップＳ１４０１で開始され、ステップＳ１４０２で例えば視聴している放送番組のネットワークＩＤ、チャンネル番号情報を取得する。そして、ステップＳ１４０３で、該当するネットワーク番号、トランスポートストリームＩＤの指定チャンネル番号が、不揮発性メモリ１１６にお好みチャンネルとして登録されているかチェックを行う。次いで、ステップＳ１４０４でお好みチャンネルとして登録されていると判断されれば、ステップＳ１４０５で登録ありの設定を行って、ステップＳ１４０６で処理を終了する。ステップＳ１４０４でお好みチャンネルとして登録されていないと判断された場合には、ステップＳ１４０７で登録なしの設定を行ってステップＳ１４０６で終了する。
【００８７】
図１４に示す処理を行うことによって、お好みチャンネルとしての登録の有無を示す情報を、不揮発性メモリ１１６に記憶されたチャンネル毎の選局信号に、例えばフラグとして追加して記憶させることができる。
【００８８】
以上の説明においては、チャンネルアップ／ダウン選局するチャンネルを、お好みチャンネルと一般のチャンネルに分けて、選局時間に差を持たせたものとしたが、お好みチャンネルは、チャンネルアップ／ダウン選局以外の選局処理の際にも用いられるものであり、チャンネルアップ／ダウン選局処理に適用したくないという場合もあると考えられる。そこで、特定チャンネルという概念を用いて、選局の時間を長くしたいチャンネル、すなわち確実に選局したいチャンネルを特定して、不揮発性メモリ１１６に登録しておくように構成することも可能である。
【００８９】
図１５は、特定チャンネルとして、お好みチャンネルの他に、オンエアー中のチャンネルおよび地域情報で取得したチャンネルを選択的に、特定チャンネルとして登録する処理を示すフローチャートである。
【００９０】
図１５において、ステップＳ１５０１で処理を開始し、ステップＳ１５０２で、特定チャンネル選択のためのＯＳＤ情報をＯＳＤ信号生成部１１１で生成して、表示部１１０で表示させる。特定チャンネルとしての選択項目として、お好みチャンネル、オンエアー中のチャンネルおよび地域情報で取得したチャンネルの３種類のチャンネルが表示され、それぞれ１から３の数字で選択することで設定される。
【００９１】
次いで、ステップＳ１５０３で、１のお好みチャンネルが選択されたか否かの判定がなされ、１が選択された場合には、「お好みチャンネルを特定チャンネルに設定しました」の表示を表示部１１０で行って、ステップＳ１５０５で処理を終了する。
【００９２】
また、ステップＳ１５０３で１が選択されなかったと判定された場合には、ステップＳ１５０６で２が選択されたか否かの判定がなされ、２が選択されたと判定された場合には、ステップＳ１５０７で、「オンエアー中のチャンネルを特定チャンネルとして設定しました」の表示を行って処理を終了する。
【００９３】
また、ステップＳ１５０６で２が選択されなかったと判定された場合には、ステップＳ１５０８で３が選択されたか否かの判定がなされ、３が選択されたと判定された場合には、ステップＳ１５０９で「地域情報で取得したチャンネルを特定チャンネルに設定しました」の表示を行って処理を終了する。また、ステップＳ１５０８で３が選択されなかったと判定された場合には、ステップＳ１５０２に戻る。
【００９４】
以上説明したように、本発明の選局装置によれば、素早く確実に選局したいチャンネルを予め特定チャンネルとして設定しておいて、連続的なアップ／ダウン選局時に、特定チャンネルを選局している時間を他のチャンネルを選局している時間に比べて永く設定したので、選局したいチャンネルで、確実にアップ／ダウン選局を停止させることがてき、選局速度を速くすることができるものである。
【００９５】
なお、本発明は、以上説明した実施の形態に限定されるものではなく、その趣旨を逸脱しない範囲で、種々実施可能である。
【図面の簡単な説明】
【００９６】
【図１】本発明に係る選局装置を搭載したテレビジョン受信器の回路ブロック図。
【図２】図１に示すテレビジョン受信器に適用されるリモートコントローラのキー配置を説明するための図。
【図３】本発明の選局装置の動作を説明するための図。
【図４】本発明の選局装置の動作を説明するための図。
【図５】本発明の選局装置の動作を説明するための図。
【図６】本発明の選局装置の動作を説明するための図。
【図７】本発明の選局装置の動作を説明するためのタイミングチャート。
【図８】本発明の選局装置の動作を説明するためのタイミングチャート。
【図９】本発明の選局装置において、特定チャンネルを登録する処理を説明するための図。
【図１０】本発明の選局装置において、特定チャンネルとして記憶されたチャンネルの内容を説明するため図。
【図１１】本発明の選局装置の動作を説明するための図。
【図１２】本発明の選局装置の動作を説明するためのフローチャート。
【図１３】本発明の選局装置の動作を説明するためのフローチャート。
【図１４】本発明の選局装置の動作を説明するためのフローチャート。
【図１５】本発明の選局装置における特定チャンネル設定処理を説明するためのフローチャート。
【符号の説明】
【００９７】
１００…テレビジョン受信器
１０１…アンテナ
１０２…アンテナ入力端子
１０３…チューナ
１０４…選局処理部
１０５…制御部
１０６…復調部
１０７…ＴＳデコーダ
１０８… ＭＰＥＧデコーダ
１０９…映像信号処理部
１１０…表示部
１１１…ＯＳＤ信号生成部
１１２…音声信号処理部
１１３…音声出力部
１１４…ＲＯＭ
１１５…ＲＡＭ
１１６…不揮発性メモリ
１１７…制御処理部
１１８…チャンネルアップ／ダウン処理部
１１９…チャンネル切換えモード設定部
１２０…リモコンコード解析部
１２１…キーコード解析部
１２２…時間計測部
１２３…リモコン受光部
１２４…キー入力部
１２５…リモートコントローラ
２０２…カーソルキー
２０３…決定キー
２０４…チャンネルアップ／ダウンキー
２０５…音量調整キー
２０６…終了キー
２０７…お好みチャンネル登録キー
【図１】
2005192009.tif 000003
【図２】
2005192009.tif 000004
【図３】
2005192009.tif 000005
【図４】
2005192009.tif 000006
【図５】
2005192009.tif 000007
【図６】
2005192009.tif 000008
【図７】
2005192009.tif 000009
【図８】
2005192009.tif 000010
【図９】
2005192009.tif 000011
【図１０】
2005192009.tif 000012
【図１１】
2005192009.tif 000013
【図１２】
2005192009.tif 000014
【図１３】
2005192009.tif 000015
【図１４】
2005192009.tif 000016
【図１５】
2005192009.tif 000017